(57)【要約】【課題】楽器用打撃体やこれを含む楽器における演奏感の向上を容易に図ることができるようにする。【解決手段】互いに接続された多数の柱２を備え、柱２の外周面の少なくとも一部が、隣接する他の柱２と離れて位置する楽器用打撃体１を提供する。【選択図】図２
2020144286.tif 000002
【特許請求の範囲】
【請求項１】
互いに接続された多数の柱を備え、
前記柱の外周面の少なくとも一部が、隣接する他の前記柱と離れて位置する楽器用打撃体。
【請求項２】
硬さが互いに異なる二つの領域を有する請求項１に記載の楽器用打撃体。
【請求項３】
所定の空間における前記柱の占有容積と前記柱を除く空洞の占有容積との比率が、前記二つの領域で互いに異なる請求項２に記載の楽器用打撃体。
【請求項４】
前記柱の材質が、前記二つの領域で互いに異なる請求項２又は請求項３に記載の楽器用打撃体。
【発明の詳細な説明】
【技術分野】
【０００１】
本発明は、楽器用打撃体に関する。
【背景技術】
【０００２】
電子ドラムのドラムパッドや練習用パッドなどに用いる楽器用打撃体では、演奏者が心地よく演奏できるようにする、すなわち心地よい演奏感が得られるようにすることが求められている。心地よい演奏感は、例えば、楽器用打撃体を打撃した際に演奏者が感じる打撃の感触（打感）を変えることで得ることができる。
特許文献１には、高分子弾性材料からなる本体部を、ポリプロピレンやポリエチレン等の高分子材料からなる表層部で覆った楽器用打撃体が開示されている。特許文献２には、パッドをゴム性の発泡体で構成した楽器用打撃体が開示されている。特許文献３には、布状材をゴムに含侵した構成を含む楽器用打撃体が開示されている。特許文献４には、網状素材でヘッドを構成した楽器用打撃体が開示されている。特許文献１〜４に記載された工夫では、いずれも演奏者が感じる打感を変えることができる。
【先行技術文献】
【特許文献】
【０００３】
【特許文献１】特許第４１８６８４５号公報
【特許文献２】特開２００９−２２９５１４号公報
【特許文献３】特開２０１０−２６２１６７号公報
【特許文献４】特許第３７１０５６６号公報
【特許文献５】米国特許第２０１８／０２６４７１８号明細書
【発明の概要】
【発明が解決しようとする課題】
【０００４】
しかしながら、特許文献１〜４の楽器用打撃体では、打感に関わる素材の特性を細かく調整することが難しい。特に、楽器用打撃体の複数の領域において素材の特性を互いに異ならせることが難しい。このため、演奏感の向上を図るためには、多くの時間や労力を要する。
【０００５】
本発明は、上述した事情に鑑みてなされたものであって、演奏感の向上を容易に図ることが可能な楽器用打撃体を提供することを目的とする。
【課題を解決するための手段】
【０００６】
本発明の一態様は、互いに接続された多数の柱を備え、前記柱の外周面の少なくとも一部が、隣接する他の前記柱と離れて位置する楽器用打撃体である。
【発明の効果】
【０００７】
本発明によれば、楽器用打撃体やこれを含む楽器における演奏感の向上を容易に図ることができる。
【図面の簡単な説明】
【０００８】
【図１】本発明の第一実施形態に係る楽器用打撃体を示す平面図である。
【図２】図１のII−II矢視断面図である。
【図３】図１，２の楽器用打撃体の構造の第一例を示す拡大斜視図である。
【図４】図１，２の楽器用打撃体の構造の第二例を示す拡大斜視図である。
【図５】図１，２の楽器用打撃体の構造の第三例を示す拡大斜視図である。
【図６】本発明の第二実施形態に係る楽器用打撃体を示す平面図である。
【図７】図６の楽器用打撃体における断面の一例を示す図である。
【図８】本発明の他の実施形態に係る楽器用打撃体を示す断面図である。
【発明を実施するための形態】
【０００９】
〔第一実施形態〕
以下、図１〜５を参照して本発明の第一実施形態について説明する。本実施形態に係る楽器用打撃体は、例えば電子ドラムのパッドや練習用パッドに用いられ、スティック等で打撃されるものである。
【００１０】
図３〜５に示すように、本実施形態の楽器用打撃体１は、互いに接続された多数の柱２を備える。
図３，４に例示する構成では、柱２の長手方向の端部同士が接続されている。このため、柱２の外周面は隣接する他の柱２と離れて位置する。なお、柱２同士は、例えば柱２の外周面の一部が他の柱２に接触することで、互いに接続されてもよい。すなわち、柱２の外周面の少なくとも一部が、隣接する他の柱２と離れて位置していればよい。また、柱２同士は、図３，４に例示するように直接接続されてもよいし、図５に例示するように柱２と異なる部材（図５における膜４）を介して間接的に接続されてもよい。
【００１１】
楽器用打撃体１においては、所定の空間Ｓにおける柱２の占有容積が、所定の空間Ｓの体積よりも小さければよい。また、楽器用打撃体１は、多数の柱２が互いに接続されると共に互いに間隔をあけて配されることで、柱２同士の隙間からなる空洞Ｃを含むように構成されればよい。
【００１２】
多数の柱２は、図３〜５に例示するように、所定の規則で配列されてよい。多数の柱２は、例えば図４，５に示すように、互いに平行するように配列されてよい。また、例えば図３，４に例示する構成のように、幾つかの柱２によって多面体の骨組み３を構成し、複数の多面体の骨組み３がつながっていてもよい。図３における多面体の骨組み３は、１２本の柱２によって構成される正八面体の骨組みである。図４における多面体の骨組み３は、１２本の柱２によって構成される立方体の骨組みである。
なお、多数の柱２は、例えば不規則に配列されてもよい。
【００１３】
柱２を構成する材料は、少なくとも弾性変形可能であるとよい。
【００１４】
図１，２に示すように、本実施形態の楽器用打撃体１は、板状に形成されている。楽器用打撃体１のうち板厚方向（図２において上下方向）に直交する一つの面は、スティック等によって打撃される打撃面５となっている。楽器用打撃体１の形状は、図１に例示する円形状に限らず、多角形状などであってもよい。
【００１５】
打撃面５は、例えば同一面内に配列された多数の柱２の長手方向の端部によって構成されてよい。また、打撃面５は、例えば同一面内に配列された多数の柱２の長手方向の端部に設けた膜４（図５参照）によって構成されてもよい。打撃面５が膜４によって構成される場合には、膜４を介して多数の柱２を互いに接続することもできる。
【００１６】
楽器用打撃体１の硬さは、柱２の材質（柱２を構成する材料）や、所定の空間Ｓ（図３〜５参照）における柱２の占有容積と柱２を除く空洞Ｃ（図３〜５参照）の占有容積との比率に応じて変えることができる。柱２の占有容積と空洞Ｃの占有容積の比率は、例えば、柱２の形状や太さ、あるいは、所定の空間Ｓにおける柱２の本数（多数の柱２を密集させる度合い）を変えることで調整できる。例えば、楽器用打撃体１の硬くする場合には、柱２の材質を硬くしたり、柱２の太さを太くしたり、柱２の本数を増やしたりすればよい。一方、楽器用打撃体１を柔らかくする場合には、柱２の材質を柔らかくしたり、柱２の太さを細くしたり、柱２の本数を減らしたりすればよい。
楽器用打撃体１の硬さには、静的荷重に対する楽器用打撃体１の硬度や、衝撃に対する楽器用打撃体１の硬さ（反発係数）などが含まれる。
【００１７】
図２に示すように、楽器用打撃体１は、硬さが互いに異なる二つの領域６Ａ，６Ｂを有する。本実施形態において、硬さが異なる二つの領域６Ａ，６Ｂは、板厚方向に配列されている。例えば、打撃面５を構成する第一領域６Ａが、打撃面５から離れて位置する第二領域６Ｂよりも柔らかくてもよいし、第一領域６Ａが第二領域６Ｂよりも硬くてもよい。
【００１８】
二つの領域６Ａ，６Ｂでは、例えば、所定の空間Ｓにおける柱２の占有容積と空洞Ｃの占有容積との比率が、互いに異なっていてよい。すなわち、所定の空間Ｓの体積に対する柱２の占有容積が、二つの領域６Ａ，６Ｂの一方において大きく、他方において小さくなっていてよい。また、二つの領域６Ａ，６Ｂでは、例えば柱２の材質が互いに異なっていてもよい。
また、二つの領域６Ａ，６Ｂでは、例えば、柱２の占有容積と空洞Ｃの占有容積との比率が互いに異なり、かつ、柱２の材質も互いに異なっていてもよい。
【００１９】
以上説明したように、本実施形態の楽器用打撃体１は、互いに接続された多数の柱２によって構成されている。このため、柱２の材質や、柱２の形状や太さ、所定の空間Ｓにおける柱２の本数などに応じて楽器用打撃体１の硬さを自由にかつ細かく調整することができる。これにより、楽器用打撃体１やこれを含む楽器における演奏感（打感）の向上を容易に図ることができる。
【００２０】
また、本実施形態の楽器用打撃体１は、硬さが互いに異なる二つの領域６Ａ，６Ｂを有する。特に、本実施形態の楽器用打撃体１では、硬さが異なる二つの領域６Ａ，６Ｂが板厚方向に配列されている。このため、楽器用打撃体１をスティック等で叩く強さに応じて演奏者が得られる演奏感（打感）を変えることができる。
【００２１】
また、本実施形態の楽器用打撃体１では、楽器用打撃体１の二つの領域６Ａ，６Ｂにおいて、柱２の材質や、柱２の形状や太さ、所定の空間Ｓにおける柱２の本数などを互いに異ならせるだけで、二つの領域６Ａ，６Ｂにおける楽器用打撃体１の硬さを簡単に異ならせることができる。
【００２２】
〔第二実施形態〕
次に、図６，７を参照して本発明の第二実施形態について説明する。第二実施形態においては、第一実施形態と同様の構成要素について同一符号を付す等して、その説明を省略する。
【００２３】
図６に示すように、第二実施形態の楽器用打撃体１Ｄは、第一実施形態と同様に、互いに接続された多数の柱２によって構成されている。また、第二実施形態の楽器用打撃体１Ｄは、第一実施形態と同様の板状に形成され、打撃面５を有する。また、第二実施形態の楽器用打撃体１Ｄは、硬さが互いに異なる二つの領域６Ｅ，６Ｆを有する。
【００２４】
ただし、第二実施形態において、硬さが異なる二つの領域６Ｅ，６Ｆは、打撃面５に沿う方向に配列されている。すなわち、打撃面５が、硬さの異なる二つの領域６Ｅ，６Ｆを含む。
図６において、二つの領域６Ｅ，６Ｆは打撃面５の径方向に配列されている。具体的に、二つの領域６Ｅ，６Ｆのうち、第一領域６Ｅが打撃面５と同心の円形状に形成され、第二領域６Ｆが第一領域６Ｅの径方向外側に隣り合う円環状に形成されている。第一領域６Ｅと第二領域６Ｆとの境界Ｌ１は、図６のような円形状に限らず、例えば多角形（三角形、四角形、五角形、六角形）に形成されてもよい。
【００２５】
これら二つの領域６Ｅ，６Ｆでは、例えば第一実施形態の場合と同様に、柱２の材質や、所定の空間Ｓの体積に対する柱２の占有容積（例えば柱２の形状や太さ、数）が互いに異なることで、硬さが異なってよい。
また、二つの領域６Ｅ，６Ｆでは、例えば図７に示すように、楽器用打撃体１Ｄの板厚方向（図７では上下方向）における厚さが互いに異なることで、硬さが異なってもよい。図７においては、第一領域６Ｅの厚さが第二領域６Ｆの厚さよりも大きく、これによって、第一領域６Ｅが第二領域６Ｆよりも硬い。なお、例えば、第一領域６Ｅの厚さが第二領域６Ｆの厚さよりも小さいことで、第一領域６Ｅが第二領域６Ｆよりも柔らかくてもよい。
【００２６】
二つの領域６Ｅ，６Ｆにおいて楽器用打撃体１Ｄの厚さを互いに異ならせるためには、図７に例示すように、板厚方向において打撃面５と反対側に向く面に段差を形成してよい。この場合には、打撃面５に段差が形成されず平坦となるため、打撃面５を叩きやすいという利点がある。なお、打撃面５には段差が形成されてもよい。
【００２７】
以上説明したように、第二実施形態の楽器用打撃体１Ｄによれば、第一実施形態と同様の効果を奏する。
また、第二実施形態の楽器用打撃体１Ｄでは、硬さが異なる二つの領域６Ｅ，６Ｆが打撃面５に沿う方向に配列されている。このため、楽器用打撃体１Ｄの打撃面５をスティック等で叩く位置に応じて演奏者が得られる演奏感（打感）を変えることができる。
【００２８】
第二実施形態において、二つの領域６Ｅ，６Ｆは、径方向に限らず、例えば打撃面５に沿う一方向に配列されてもよい。
【００２９】
以上、本発明について詳細に説明したが、本発明は上記実施形態に限定されるものではなく、本発明の趣旨を逸脱しない範囲において種々の変更を加えることが可能である。
【００３０】
本発明の楽器用打撃体において、硬さが互いに異なる領域は三つ以上であってもよい。
例えば、図１，２に例示した第一実施形態の楽器用打撃体１では、硬さが異なる三つ以上領域が板厚方向に配列されてよい。また、図６に例示した第二実施形態の楽器用打撃体１Ｄでは、硬さが異なる三つ以上領域が打撃面５に沿う方向に配列されてよい。
【００３１】
また、本発明の楽器用打撃体は、例えば所定の方向において硬さが連続的に変化するように構成されてよい。楽器用打撃体の硬さを連続的に変化させるためには、例えば、柱の材質や、柱の形状や太さ、所定の空間における柱の本数を連続的に変化させてよい。楽器用打撃体の硬さは、例えば、板厚方向において連続的に変化してもよいし、打撃面５に沿う方向において連続的に変化してもよい。楽器用打撃体の硬さを打撃面５に沿う方向において連続的に変化させる場合には、例えば図８に示すように、楽器用打撃体１Ｇの厚さを打撃面５に沿う方向において連続的に変化させてもよい。
図８に例示する構成では、楽器用打撃体１Ｇの中心Ａ１から径方向外側（図８において左右方向）に向かうにしたがって、楽器用打撃体１Ｇの厚さが連続的に小さくなっている。また、打撃面５が外側（上方）に膨らむ凸状の湾曲面に形成されている。
【００３２】
本発明の楽器用打撃体は、例えば多面体や球体などの任意の形状に形成されてよい。
【００３３】
本発明の楽器用打撃体は、スティックで打撃される打楽器に限らず、打撃することで演奏し得る任意の楽器に適用可能である。
【符号の説明】
【００３４】
１，１Ｄ，１Ｇ…楽器用打撃体、２…柱、３…多面体の骨組み、５…打撃面、６Ａ，６Ｂ，６Ｅ，６Ｆ…領域、Ｃ…空洞、Ｓ…所定の空間
【図１】
2020144286.tif 000003
【図２】
2020144286.tif 000004
【図３】
2020144286.tif 000005
【図４】
2020144286.tif 000006
【図５】
2020144286.tif 000007
【図６】
2020144286.tif 000008
【図７】
2020144286.tif 000009
【図８】
2020144286.tif 000010